(57)【要約】【課題】小型化に適した金属製外装部材の取り付け構造を有する電子機器を提供すること。【解決手段】電子機器は、金属材料で形成された複数の外装部材と、弾性材料で形成されたベース部材を備える。第１の外装部材であるリアカバー２は、端部に浮きを防止する係止爪７ａを有し、ベース部材であるトップベース４は、弾性変形可能な爪部１０ａを有する。リアカバー２をトップベース４に組み付ける際、係止爪７ａと爪部１０ａは、組み付け方向に沿うＺ方向および該方向に直交するＹ方向にて当接した状態で係合されて浮きを防止する。【選択図】図５
2013167689.tif 000002
【特許請求の範囲】
【請求項１】
金属製の外装部材と、弾性材料で形成されたベース部材を備えた電子機器であって、
前記外装部材の端部に形成した第１の係止部と、
前記ベース部材に形成され、前記外装部材を前記ベース部材に組み付ける際、前記第１の係止部を、組み付け方向に沿う第１の方向および該第１の方向に直交する第２の方向にて当接させた状態で係合させる第２の係止部を備え、
前記第１の係止部は、前記第２の係止部に対して前記第１の方向にて当接する第１の当接面と、前記ベース部材の当接面部に対して前記第２の方向にて当接する第２の当接面を有することを特徴とする電子機器。
【請求項２】
前記第１の係止部は、前記第２の当接面を有する部分と、当該部分から前記第１および第２の方向に直交する第３の方向に延在して前記第１の当接面を有する屈曲端部を備えることを特徴とする請求項１に記載の電子機器。
【請求項３】
前記第２の係止部を操作するために前記ベース部材に形成した切り欠き部と、
前記第１の係止部が形成された第１の外装部材を前記ベース部材に組み付けた後で、前記切り欠き部を覆う第２の外装部材を有することを特徴とする請求項１または２に記載の電子機器。
【請求項４】
金属製の外装部材と、弾性材料で形成されたベース部材と、外部装置の取り付け部材を備えた撮像装置であって、
前記外装部材にて前記取り付け部材に対応する切り欠き部の端部に形成した第１の係止部と、
前記ベース部材に形成され、前記外装部材を前記ベース部材に組み付ける際、前記第１の係止部を、組み付け方向に沿う第１の方向および該第１の方向に直交する第２の方向にて当接させた状態で係合させる第２の係止部を備え、
前記第１の係止部は、前記第２の係止部に対して前記第１の方向にて当接する第１の当接面と、前記ベース部材の当接面部に対して前記第２の方向にて当接する第２の当接面を有することを特徴とする撮像装置。
【発明の詳細な説明】
【技術分野】
【０００１】
本発明は、金属製の外装部材を組み付けて固定する電子機器および撮像装置に関するものである。
【背景技術】
【０００２】
近年、撮像素子による画像信号から得た撮影データをファイルとして記録するデジタルカメラ等の電子撮像装置が普及しており、分割した複数の外装部材を一体化したカバーで内部の構成部品を覆う構成が知られている。例えば、高品位な外観を呈するために金属製の外装部材を有し、ユーザが手にした時の剛性感や金属特有の質感等により高級感を与える装置がある。金属製の外装部材を使用する場合、表面に露出するビスを削減して外観の品位低下や故障等の発生を防止する組立構造が求められる。そこで、外装部材の上面部等の内側に隠れる係止爪により、分割された外装部材同士を結合させる構造が採用される。この構造は、何れか一方の外装部材に設けた複数の係止爪と、他方の外装部材に設けた複数の係止穴を備える。
【０００３】
図１２は従来の金属製カバーを用いた構造例を示す斜視図である。カバー１８に形成した係止爪１９の突出方向をＺ方向とし、これに直交する２軸をＸ軸およびＹ軸とする。Ｘ方向はカバー１８の長手方向に平行であり、Ｙ方向はカバー１８の短手方向に平行である。係止爪１９に対応して、不図示の装置本体側には突起部が設けられる。この構造では、係止爪１９の引っ掛けによりカバー１８の組み付け作業が行われるので、Ｚ方向への取り付けはできるが、Ｙ方向にて外装部材同士の合わせ目に凹凸が生じた場合、外観上の品位を損なうおそれがある。そこで、特許文献１では、外装部材の合わせ目となる隙間を狭めるための機構を有するカバー組立構造が開示されている。この機構では、係止爪部が設けられた外装部材を、別の外装部材の側に引き寄せて隙間を縮めることができる。
【先行技術文献】
【特許文献】
【０００４】
【特許文献１】特開２０１０−１８６８６５号公報
【発明の概要】
【発明が解決しようとする課題】
【０００５】
従来の構成では、特許文献１のような機構を別途設ける必要があるため、電子機器をさらに小型化する上で支障を来たす可能性がある。
本発明は、小型化に適した金属製外装部材の取り付け構造を有する電子機器の提供を目的とする。
【課題を解決するための手段】
【０００６】
上記課題を解決するために、本発明に係る装置は、金属製の外装部材と、弾性材料で形成されたベース部材を備えた電子機器であって、前記外装部材の端部に形成した第１の係止部と、前記ベース部材に形成され、前記外装部材を前記ベース部材に組み付ける際、前記第１の係止部を、組み付け方向に沿う第１の方向および該第１の方向に直交する第２の方向にて当接させた状態で係合させる第２の係止部を備え、前記第１の係止部は、前記第２の係止部に対して前記第１の方向にて当接する第１の当接面と、前記ベース部材の当接面部に対して前記第２の方向にて当接する第２の当接面を有することを特徴とする。
【発明の効果】
【０００７】
本発明によれば、電子機器の小型化に適した金属製外装部材の取り付け構造を実現できる。
【図面の簡単な説明】
【０００８】
【図１】図２ないし６と併せて本発明の第１実施形態を説明するために、デジタルカメラを示す分解斜視図である。
【図２】デジタルカメラの平面図（Ａ）と、トップベースの平面図（Ｂ）および底面図（Ｃ）である。
【図３】リアカバーの係止爪を示す斜視図である。
【図４】リアカバーの係止爪の側面図（Ａ）および正面図（Ｂ）である。
【図５】リアカバーをトップベースに組み付ける様子を示す断面図である。
【図６】リアカバーをトップベースに組み付けた状態を示す斜視図である。
【図７】図８ないし１１と併せて本発明の第２実施形態を説明するために、デジタルカメラを示す分解斜視図である。
【図８】リアカバーの係止爪の斜視図（Ａ）および側面図（Ｂ）である。
【図９】トップベースの平面図である。
【図１０】リアカバーをトップベースに組み付けた状態を示す断面図である。
【図１１】リアカバーをトップベースに組み付けた状態を示す斜視図である。
【図１２】従来の構造例を説明する斜視図である。
【発明を実施するための形態】
【０００９】
以下に本発明の各実施形態について、金属製外装部材を備える電子機器の一例として撮像装置を説明する。
【００１０】
［第１実施形態］
図１は、デジタルカメラ等の外装部材組立構造体を背面側から見た分解斜視図である。なお、外装部材の組み付け方向に沿う第１の方向をＺ方向とし、これに直交する２軸をＸ軸およびＹ軸とする。第２の方向に相当するＹ方向は外装部材の短手方向に平行であり、第３の方向に相当するＸ方向は外装部材の長手方向に平行である。また、装置本体部１にてレンズ部やレンズマウント部が配置される面を前面と定義して各部の前後関係を説明する。
【００１１】
装置本体部１は、第１の外装部材として背面に配置されるリアカバー２と、第２の外装部材として前面に配置されるフロントカバー３を備える。外装部材は、アルミニウム、ステンレス鋼、チタン等の金属材料で形成されている。トップベース４は弾性材料で形成したベース部材であり、外装部材で覆われる構造物である。なお、外装部材については、フロントカバー及びリアカバーの二枚カバー、左カバー及び右カバーの二枚カバー、または三枚若しくは四枚以上の複数枚のカバーを用いた構成でもよい。またリアカバー２は、装置本体部１が保持する液晶パネル１７を外面に露出させるために開口部を有している。このため、リアカバー２は、Ｚ方向に沿って装置本体部１に組み付ける必要がある。そうしないと、液晶パネル１７との干渉により、リアカバー２の取り付けができないからである。よって、本実施形態の場合、図１２で説明した方法で係止爪１９をＹ方向から引っ掛ける構造は採用できない。
【００１２】
図２（Ａ）は、電子機器をＹ方向から見た場合の平面図である。リアカバー２とフロントカバー３との合わせ目となる部分１２は曲面状をなしている。アクセサリーシュー５はストロボ等の外部装置の取り付け部材であり、トップベース４に取り付けられている。リアカバー２には、アクセサリーシュー５の形状に対応した切り欠き部６が形成されている。切り欠き部６のコ字状をした内周縁部のうち、Ｚ方向に沿ってアクセサリーシュー５を挟み込む部分は平坦な端面部６ａ，６ｂを有する。
【００１３】
図３は、リアカバー２に形成した切り欠き部６および第１の係止部の周辺を拡大して示す斜視図である。リアカバー２は、切り欠き部６の端面部６ａ，６ｂの前端にそれぞれ係止爪７ａ，７ｂを有する。これらの係止爪７ａ，７ｂは、プレス加工の場合、端面部６ａ，６ｂに形成することが型構造上望ましい。
【００１４】
図４（Ａ）は一方の係止爪７ａをＸ方向から見た場合の拡大図である。
係止爪７ａは段形状になっており、Ｚ方向に沿って後方を向いている第１の当接面８は、離脱防止用の当て面である。またＹ方向を向いている第２の当接面９は、浮き防止用の当て面である。なお、各面のもつ役割については後述する。図４（Ｂ）は係止爪７ａをＺ方向から見た場合の拡大図である。係止爪７ａは、先端部がＸ方向に折れ曲ったＬ字状に形成されている。つまり、係止爪７ａは第２の当接面９を有する部分７ａ−１と、当該部分からＸ方向に延在して第１の当接面８を有する屈曲端部７ａ−２を有する。なお、Ｙ−Ｚ平面に関して対称的に配置された係止爪７ｂについても同様の形状を有する。
【００１５】
図２（Ｂ）はトップベース４をＹ方向から見た場合の平面図であり、図２（Ｃ）はトップベース４をＹ方向から見た場合の要部を示す底面図である。
トップベース４は、アクセサリーシュー５を保護するための一部１３が外観面に露出している。トップベース４はアクセサリーシュー５を挟み込む位置に、切り欠き部（斜線部参照）１６がそれぞれ形成されている。これらの切り欠き部１６が形成される結果、Ｚ方向に延在する第２の係止部として爪部１０ａ，１０ｂが形成され、これらはＹ方向に弾性変形可能である。
【００１６】
図５は、リアカバー２をトップベース４に組み付ける様子をＹ方向から示した断面図である。図５（Ａ）は係止爪７ａと爪部１０ａとが係合する前の状態を示し、図５（Ｂ）は係止爪７ａと爪部１０ａとが係合した状態を示す。なお、Ｙ方向については、アクセサリーシュー５に、ストロボ等の外部装置が取り付けられる面側を上方と定義する。
【００１７】
リアカバー２をトップベース４に組み付ける場合、図５（Ａ）に示すように、リアカバー２の係止爪７ａが、トップベース４の爪部１０ａの上面位置まで達すると、爪部１０ａは弾性変形を開始し、下方に押し込まれて撓む。図５（Ｂ）に示すように、リアカバー２の係止爪７ａがさらにＺ方向に沿って前方に移動し、トップベース４の爪部１０ａの上面を乗り越えることで組み付け作業が完了する。この際、爪部１０ａと、係止爪７ａの先端部（屈曲端部７ａ−２）とが係合し、第１の当接面８が爪部１０ａの前端部に当接した状態となる。よって、Ｚ方向へのリアカバー２の移動が規制されてリアカバー２がトップベース４に固定されるので、カバー同士の隙間が生じ難く、外観上の品位を保つことができる。また、トップベース４の当接面部４ａに形成した受け面１４は、係止爪７ａの第２の当接面９と当接するので、リアカバー２は、Ｙ方向への移動が規制されてトップベース４に固定される。よって、カバー間に凹凸が生じることがなく、外観上の品位を保つことができる。
【００１８】
図６は、リアカバー２をトップベース４に組み付けた状態を下側から見た場合の斜視図であり、係止爪７ａおよび爪部１０ａの周辺を拡大して示す。
【００１９】
トップベース４には爪部１０ａ，１０ｂの前側に切り欠き部１５がそれぞれ形成されている。これらの切り欠き部１５は作業者がトップベース４からリアカバー２を取り外す際に使用する。トップベース４とリアカバー２が組み付けられた状態で、作業者は切り欠き部１５から細い棒状部材を挿入して、爪部１０ａ，１０ｂを操作することができる。すなわち、修理や調整等の際には、爪部１０ａ，１０ｂを操作して下方に押し込むことで、リアカバー２の取り外しが可能である。本実施形態に示すデジタルカメラでは、フロントカバー３がトップベース４の切り欠き部１５を塞ぐように構成されている。
【００２０】
第１実施形態によれば、外装部材の端面部を限られたスペースで、Ｚ方向およびＹ方向において装置本体部に固定することができる。よって、外装部材の２方向に亘る組み付け作業を、ビスを用いずに省スペースで行える。
【００２１】
［第２実施形態］
次に本発明の第２実施形態を説明する。なお、第２実施形態の説明において第１実施形態の場合と同様の構成要素については、既に使用した符号に２００を加算した符号を用いることで、それらの詳細な説明を省略する。Ｘ，Ｙ，Ｚの各軸の設定については第１実施形態の場合と同様である。以下では、第１実施形態との相違点を主に説明する。
【００２２】
図７は、デジタルカメラの装置本体部２０１にて、リアカバー２０２およびフロントカバー２０３、トップベース２０４を示す斜視図である。リアカバー２０２の開口部から液晶パネル２１７が外部に露出し、トップベース２０４にはアクセサリーシュー２０５が設けられている。第１実施形態と相違する部分は、リアカバー２０２をトップベース２０４に係止する組み付け構造である。
【００２３】
図８（Ａ）は、リアカバー２０２の切り欠き部２０６および第１の係止部の周辺を拡大して示す斜視図である。リアカバー２０２の上面は曲面状をなしており、アクセサリーシュー２０５の形状に対応した切り欠き部２０６が形成されている。切り欠き部２０６の前端にてＺ方向を向いた平坦な端面部２０６ａ，２０６ｂには、Ｌ字形状の係止爪２０７ａ，２０７ｂがそれぞれ形成されている。図８（Ｂ）は係止爪２０７ａをＸ方向から示す拡大図である。係止爪２０７ａ，２０７ｂにおいて、Ｚ方向にて後方を向いている第１の当接面２０８が離脱防止用の当て面であり、Ｙ方向を向いている第２の当接面２０９が浮き防止用の当て面である。
【００２４】
図９はトップベース２０４をＹ方向から見た場合の平面図である。
トップベース２０４は、その一部２１３がアクセサリーシュー２０５を保護するため外観面に露出している。トップベース２０４にてアクセサリーシュー２０５を挟み込む位置には、切り欠き部（斜線部参照）２１６が形成されることで爪部２１０ａ，２１０ｂがそれぞれ形成されている。爪部２１０ａ，２１０ｂはＹ方向に弾性変形可能である。
【００２５】
図１０はリアカバー２０２をトップベース２０４に組み付けた様子を拡大して示す断面図である。リアカバー２０２の係止爪２０７ａがトップベース２０４の爪部２１０ａの位置まで達すると、爪部２１０ａはＹ方向にて下方に押し込まれるように弾性変形を開始する。さらに係止爪２０７ａが爪部２１０ａを乗り越えてＺ方向に前進することで組み付け作業が完了する。この際、爪部２１０ａの前端と、係止爪２０７ａの第１の当接面２０８とが当接することでＺ方向への浮きを防止する。つまり、リアカバー２０２の浮きによるカバー同士の隙間が生じ難いので、外観上の品位を保つことができる。また、トップベース２０４の当接面部２０４ａの受け面２１４は、係止爪２０７ａの第２の当接面２０９と当接してＹ方向への浮きを防止する。これにより、リアカバー２０２の浮きによるカバー同士の凹凸が生じ難いので、外観上の品位を保つことができる。この受け面２１４については、この後で組み付けるフロントカバー２０３が有する構成でもよい。
【００２６】
図１１は、トップベース２０４を下側から見た場合の斜視図である。爪部２１０ａの前方には切り欠き部２１５が形成されている。作業者は修理や調整の際、切り欠き部２１５から細い棒状部材を差し込んで爪部２１０ａを下方に押し込み、リアカバー２０２を外すことができる。トップベース２０４の切り欠き部２１５はフロントカバー２０３で塞ぐように構成されている。
【００２７】
第２実施形態によれば、前記第１実施形態と同様の効果に加えて、簡単な形状の係止部により外装部材の取り付けが可能である。
【符号の説明】
【００２８】
１，２０１  装置本体部
２，２０２  リアカバー（第１の外装部材）
３，２０３  フロントカバー（第２の外装部材）
４，２０４  トップベース（ベース部材）
５，２０５  アクセサリーシュー（取り付け部材）
７，２０７  係止爪（第１の係止部）
８，２０８  第１の当接面
９，２０９  第２の当接面
１０，２１０  爪部（第２の係止部）
１５，２１５  切り欠き部
【図１】
2013167689.tif 000003
【図２】
2013167689.tif 000004
【図３】
2013167689.tif 000005
【図４】
2013167689.tif 000006
【図５】
2013167689.tif 000007
【図６】
2013167689.tif 000008
【図７】
2013167689.tif 000009
【図８】
2013167689.tif 000010
【図９】
2013167689.tif 000011
【図１０】
2013167689.tif 000012
【図１１】
2013167689.tif 000013
【図１２】
2013167689.tif 000014